(57)【要約】【課題】ラゲージルームとラゲージドア間に配索するワイヤハーネスを無理なく屈曲させて、高価な耐屈曲線電線ではなく、安価な一般電線でワイヤハーネスを形成する。【解決手段】自動車のラゲージルームからヒンジアームに沿ってラゲージドアへワイヤハーネスを配索しており、前記ヒンジアームとラゲージルームの車体パネルとの間に電線余長収容ケースを前記ヒンジアームの動作方向の上下縦方向に設置し、前記電線余長収容ケースは、前記ヒンジアームの円弧部と連通するワイヤハーネスの引出口を設けた円弧状電線出入部と、該円弧状電線出入部に連続する余長電線迂回部を備えた形状とし、前記電線余長収容ケースの前記余長電線迂回部に前記ワイヤハーネスを通した後に前記円弧状電線出入部の前記引出口より引き出す前記ワイヤハーネスを前記ヒンジアームの円弧部に添わせて前記ラゲージドアへ配索している。【選択図】図２
2015096348.tif 000002
【特許請求の範囲】
【請求項１】
自動車のラゲージルームからヒンジアームに沿ってラゲージドアへワイヤハーネスを配索し、前記ヒンジアームとラゲージルームの車体パネルとの間に電線余長収容ケースを前記ヒンジアームの動作方向の上下縦方向に設置し、
前記電線余長収容ケースは、前記ヒンジアームの円弧部と連通するワイヤハーネスの引出口を設けた円弧状電線出入部と、該円弧状電線出入部に連続する余長電線迂回部を備えた形状とし、
前記電線余長収容ケースの前記余長電線迂回部に前記ワイヤハーネスを通した後に前記円弧状電線出入部の前記引出口より引き出す前記ワイヤハーネスを前記ヒンジアームの円弧部に添わせて前記ラゲージドアへ配索していることを特徴とするワイヤハーネスの配索構造。
【請求項２】
前記ヒンジアームとラゲージルームの間に介設する前記電線余長収容ケースは、一方のヒンジアームの左右幅方向で外側面とラゲージルームを囲む車体パネルの外側板との隙間に配置して前記外側板に固定し、
前記電線余長収容ケースの前記余長電線迂回部はワイヤハーネスをＵ形状に迂回させるため大面積とし、前記円弧状電線出入部はワイヤハーネスを円弧状に挿通するため小面積としている請求項１に記載のワイヤハーネスの配索構造。
【請求項３】
前記電線余長収容ケースの前記円弧状電線出入部の円弧を当接する前記ヒンジアームの円弧と一致させ、該円弧状電線出入部の全長に設けた前記引出口に摺動自在に取り付けたスライダを通してから前記ワイヤハーネスを引き出して、前記ヒンジアームの円弧部に添わせている請求項１または請求項２に記載のワイヤハーネスの配索構造。
【請求項４】
前記電線余長収容ケース内に挿通すると共に前記ヒンジアームに沿って配索するワイヤハーネスを屈曲可能なキャタピラ型のプロテクタで外装している請求項１乃至請求項３のいずれか１項に記載のワイヤハーネスの配索構造。
【請求項５】
前記ワイヤハーネスを構成する電線を、耐屈曲性電線ではなく、一般電線としている請求項１乃至請求項４のいずれか１項に記載のワイヤハーネスの配索構造。
【発明の詳細な説明】
【技術分野】
【０００１】
本発明はワイヤハーネスの配索構造に関し、詳しくは、自動車のラゲージルームからラゲージドアに配索するワイヤハーネスを、ラゲージドアの開閉作動にスムーズに追従できるようにするものである。
【背景技術】
【０００２】
この種の自動車の後部に設けられるラゲージルーム（荷物室）のラゲージドアへのワイヤハーネスの配索構造として、本出願人は特開２０１２−８５４７３号公報（特許文献１）で、図６（Ａ）（Ｂ）に示すような、ラゲージドア１００の開放時にワイヤハーネス２００に付着した水がラゲージルーム１０１に浸水するのを防止するプロテクタ１１０を提供している。
【０００３】
前記特許文献１のラゲージドア１００へのワイヤハーネス２００の配索は、ラゲージドア１００とラゲージルーム１０１を連結するアーム１０５の左右幅方向Ｓのルーム側面１０５ｓにプロテクタ１１０を固定し、該プロテクタ１１０内にワイヤハーネス２００を貫通している。
【０００４】
前記アームのルーム側面１０５ｓに固定するプロテクタ１１０にラゲージルーム１０１側から挿通するワイヤハーネス２００は、図７に示すように、ラゲージルーム１０１と車室後部とを仕切る車体パネルに設けたハーネス引出口からラゲージルーム１０１に引き込まれ、該ハーネス引出口からプロテクタ１１０へ左右幅方向Ｓに渡り配索されている。
【先行技術文献】
【特許文献】
【０００５】
【特許文献１】特開２０１２−８５４７３号公報
【発明の概要】
【発明が解決しようとする課題】
【０００６】
図７に示すように、ラゲージルーム１０１内の有効容積が狭くならないように、プロテクタ１１０とハーネス引出口１２１とは近接させて設けられ、プロテクタ１１０とハーネス引出口１２１の隙間の幅は狭くなっている。この狭い隙間にワイヤハーネス２００が渡り配索され、この渡り配索されたワイヤハーネス２００をラゲージドア１００の開閉動作に追従させる必要がある。ワイヤハーネス２００は図７（Ａ）に示すラゲージドア１００の開放時には伸長した状態となり、図７（Ｂ）に示すラゲージドア１００の閉鎖時には該ワイヤハーネスの余長部２００ｅが屈曲した状態となる。
【０００７】
前記のように、ラゲージドア１００の閉鎖時には狭い幅の隙間でワイヤハーネス２００の余長部２００ｅが屈曲するため、屈曲時の曲率変化が大きく且つ曲率が不安定となる。よって、ワイヤハーネス２００を構成する電線は耐屈曲性に優れた電線が用いられている。該耐屈曲性電線は一般電線と比較して高価となっている。
【０００８】
本発明は前記した問題に鑑みてなされたもので、ラゲージドアの開閉に追従するためのワイヤハーネスの屈曲を、前記した従来より大きく曲がれるようにすると共に屈曲率を安定させ、これにより高価な耐屈曲性電線ではなく、一般電線を用いることができるようにしてコスト低下を図ることを課題としている。
【課題を解決するための手段】
【０００９】
前記課題を解決するため、本発明は、自動車のラゲージルームからヒンジアームに沿ってラゲージドアへワイヤハーネスを配索し、前記ヒンジアームとラゲージルームの車体パネルとの間に電線余長収容ケースを前記ヒンジアームの動作方向の上下縦方向に設置し、  前記電線余長収容ケースは、前記ヒンジアームの円弧部と連通するワイヤハーネスの引出口を設けた円弧状電線出入部と、該円弧状電線出入部に連続する余長電線迂回部を備えた形状とし、
前記電線余長収容ケースの前記余長電線迂回部に前記ワイヤハーネスを通した後に前記円弧状電線出入部の前記引出口より引き出す前記ワイヤハーネスを前記ヒンジアームの円弧部に添わせて前記ラゲージドアへ配索していることを特徴とするワイヤハーネスの配索構造を提供している。
【００１０】
前記ヒンジアームとラゲージルームの間に介設する前記電線余長収容ケースは、一方のヒンジアームの左右幅方向で外側面とラゲージルームを囲む車体パネルの外側板との隙間に配置して前記外側板に固定し、
前記電線余長収容ケースの前記余長電線迂回部はワイヤハーネスをＵ形状に迂回させるため大面積とし、前記円弧状電線出入部はワイヤハーネスを円弧状に挿通するため小面積としている。
【００１１】
前記ヒンジアームの上端は前記ラゲージドアに固定される一方、該ヒンジアームの下部はラゲージルームの底板材の表面化粧材に設けた開口より引き出され、ラゲージドアの開閉に応じてヒンジアームは開口を通して出没する。ラゲージドアの閉鎖時に前記表面化粧材より下部に位置する前記ヒンジアームの外側面に接した位置に前記電線余長収容ケースを配置し、前記円弧状電線出入部の円弧を当接するヒンジアームの円弧と一致させ、円弧状の前記引出口から前記ヒンジアームの円弧部の内周面にワイヤハーネスをスムーズに渡せるようにしている。
かつ、前記円弧状電線出入部の全長に設ける前記引出口にワイヤハーネスを貫通するスライダを移動自在に取り付け、該スライダを通して電線余長収容ケースからヒンジアームにワイヤハーネスを架け渡すことが好ましい。
【００１２】
即ち、前記電線余長収容ケースの前記円弧状電線出入部の円弧を当接する前記ヒンジアームの円弧と一致させ、該円弧状電線出入部の全長に設けた前記引出口に摺動自在に取り付けたスライダを通して前記ワイヤハーネスを引き出し、前記ヒンジアームの円弧部に沿わせている。
【００１３】
前記のように、ラゲージドアの開閉作動に応じて屈曲と伸長を繰り返すワイヤハーネスを電線余長収容ケース内に通し、大面積とした余長電線迂回部で迂回させているため、小さい曲率で屈曲するのを防止でき、かつ、該余長電線迂回部の形状に合わせた一定の曲率で屈曲させることができる。具体的には、従来は屈曲時のワイヤハーネスの曲率半径１０程度あるが、本発明では曲率半径を３０〜５０と大きくできる。
しかも、前記電線余長収容ケースの長さ方向をラゲージルームの幅方向に配置せず、前記のようにヒンジアームの上下縦方向の円弧部に沿った上下縦方向に配置している。よって、ヒンジアームとラゲージルームのワイヤハーネス引込口の隙間が幅狭であっても、幅方向と直交方向の縦方向に配置する前記電線余長収容ケース内で縦方向に屈曲するワイヤハーネスの屈曲率を大きくでき、ワイヤハーネスを無理なく屈曲させることができる。
その結果、ワイヤハーネスの電線として、耐屈曲性に優れた電線に変えて、一般電線を用いることができ、電線コストを低下できる。
【００１４】
前記電線余長収容ケース内に挿通すると共に前記ヒンジアームに沿って配索するワイヤハーネスを屈曲可能なキャタピラ型のプロテクタで外装していることが好ましい。
前記キャタピラ型のプロテクタは、特開２００８−２５７７５号公報あるいは特願２０１３−１８３９２７号等に記載された押し出し加工あるいは射出成型された帯状板に長さ方向の折曲ラインと幅方向の切り込みを設け、該帯状板を折り曲げて屈曲自在な筒体として組み立てるキャタピラ型のプロテクタが好適に用いられる。
【００１５】
前記のように、キャタピラ型のプロテクタでワイヤハーネスを外装すると、ヒンジアームに別体のプロテクタを付置してワイヤハーネスを挿通する必要がなく、作業手数およびコスト低下を図ることができる。
【００１６】
前記ワイヤハーネスを構成する電線は、耐屈曲電線ではなく、一般電線を用いている。  前記のように、ラゲージドアヘ配線するワイヤハーネスの電線は、小さい曲率で屈曲させず、かつ、曲率を一定にできるため、耐屈曲性の電線を用いる必要はなく、安価な一般電線を用いることができる。
【発明の効果】
【００１７】
前記のように、ラゲージルームからヒンジアームに添わせてラゲージドアへ配索するワイヤハーネスを、ヒンジアームの下部側面に沿った位置に上下縦方向に配置した電線余長収容ケースを通してヒンジアームへ渡り配索し、該電線余長収容ケース内で屈曲させているため、屈曲時の曲率を大きくできると共に、該曲率を電線余長収容ケースの形状により一定に保持できる。このように、ワイヤハーネスの屈曲時の曲率が大きく、曲率変化が殆どなく安定しているため、耐屈曲性電線を用いずに、一般電線を用いることができる。その結果、ワイヤハーネスのコストを１／２〜１／３に低下できる利点がある。
さらに、ワイヤハーネスをラゲージルーム内で、幅方向に配索して屈曲しないため、ラゲージルーム内の積載スペースを増加することができる。
【図面の簡単な説明】
【００１８】
【図１】本発明の実施形態のワイヤハーネスを配索するラゲージドアを開いた状態の斜視図である。
【図２】前記ワイヤハーネスを挿通する電線余長収容ケースとヒンジアームの関係を示す斜視図である。
【図３】（Ａ）はラゲージドアの開閉時のヒンジアームの動作を示す斜視図、（Ｂ）はヒンジアームと電線余長収容ケースとラゲージルームの外壁との関係を示す概略図である。
【図４】（Ａ）は前記電線余長収容ケースの概略斜視図、（Ｂ）は電線余長収容ケースからヒンジアームへとワイヤハーネスが連続して配線される状態を示す説明図である。
【図５】ワイヤハーネスに外装するプロテクタを示し、（Ａ）はプロテクタで外装した状態の斜視図、（Ｂ）はプロテクタの展開図である。
【図６】（Ａ）（Ｂ）は従来例を示す図面である。
【図７】（Ａ）（Ｂ）は従来の問題点を示す図面である。
【発明を実施するための形態】
【００１９】
以下、本発明の実施形態を図面を参照して説明する。
図１乃至図５に実施形態を示す。
前記図６と同様に、自動車のラゲージルーム２を開閉するラゲージドア１の内面に、ラゲージルーム２からヒンジアーム４に添わせてワイヤハーネス１０を配索し、ラゲージドア１に装着した電気部品へ電源を供給している。該ワイヤハーネス１０を構成する複数本の電線３は高価な耐屈曲性電線とせず、安価な一般電線としている。
【００２０】
ラゲージドア１とラゲージルーム２とは、左右一対のＵ字状のヒンジアーム４、５を介して連結し、ラゲージドア１を開いた時にヒンジアーム４、５が左右両側に現出する。この左右一対のヒンジアームのうち一方のヒンジアーム４の内周面にワイヤハーネス１０を沿わせて配索している。
【００２１】
前記ヒンジアーム４は断面四角枠で、図３、図４に示すように、上下方向に円弧状に屈曲している。長さ方向の中央の円弧部４ａの上端にラゲージドア１への直線状の取付部４ｂを設けると共に、下端側に直線状のラゲージルーム側の取付部４ｃを設けている。該ヒンジアーム４の上端の取付部４ｂはラゲージドア１の下端に固定され、下端の取付部４ｃはラゲージルームを構成する車体パネルに支持ピン６を介して回転自在に支持されている。ヒンジアーム５も同様な形状で同様に取り付けられている。
【００２２】
前記ヒンジアーム４の外側側面４ｓとラゲージルーム２を囲む車体パネル１２との間の狭い隙間に前記ワイヤハーネス１０を挿通する電線余長収容ケース１１を設置している。該電線余長収容ケース１１は、その長さ方向をヒンジアーム４の動作方向である上下縦方向に向けて配置し、前記車体パネル１２に固定している。該電線余長収容ケース１１は車体パネル１２とルーム側に配置する表面化粧材１２ａとの間に配置し、ラゲージドア１を開いた状態でも外観できないように設けている。
【００２３】
電線余長収容ケース１１の設置位置に隣接してヒンジアーム４の出没用の開口７（図３（Ｂ）に示す）を前記表面化粧材１２ａに設けている。かつ、ラゲージルーム２内に車室後部よりワイヤハーネス１０を引き込む開口１４（図１に示す）を電線余長収容ケース１１の設置位置と近接した位置に設けている。
【００２４】
電線余長収容ケース１１は、図４に示すように、樹脂成型品の浅底の本体１１ａにワイヤハーネス１０を通した後に開口を閉鎖する蓋１１ｂとからなる。
該電線収容ケース１１は、前記ヒンジアーム４の円弧部４ａと略同一曲率に屈曲させた小面積の円弧状電線出入部２０と、該円弧状電線出入部２０に連続する大面積の余長電線迂回部２１を備えた形状としている。
【００２５】
前記円弧状電線出入部２０の内側側面２０ｓは前記ヒンジアーム４の外側側面４ｓと当接し、該内側側面２０ｓの全長に沿ってワイヤハーネスの引出口２２を設け、該引出口２２に沿ってスライダ２５を移動自在に組みつけている。また、円弧状電線出入部２０と反対側の前記余長電線迂回部２１の先端にワイヤハーネス引込口２０ｈを設けている。
【００２６】
前記ヒンジアーム４はラゲージドア１の開閉動作に応じて上下方向に移動し、該ヒンジアーム４の円弧部４ａの一部は電線余長収容ケース１１の円弧状電線出入部２０の内側側面２０ｓに接している。即ち、ラゲージドア１の開放時にヒンジアーム４が引き出されるため、ヒンジアーム４の円弧部４ａの下部が円弧状電線出入部２０に接触する一方、ラゲージドア１の閉鎖時には、ヒンジアーム４がラゲージルーム２側に引き込まれるため、円弧部４の略全長が円弧状電線出入部２０に接触することになる。
【００２７】
後部車室側からラゲージルーム２内に引き込まれたワイヤハーネス１０は、電線余長収容ケース１１のワイヤハーネス引込口２０ｈを通して引き込み、余長電線迂回部２１内でＵ字状に迂回させた後、円弧状電線出入部２０を通り、該円弧状電線出入部２０に設けている引出口２２にスライド自在に組みつけている前記スライダ２５に通してヒンジアーム４の円弧部４ａの内周面に引き出している。
【００２８】
前記ラゲージルーム２に引き込んでラゲージドア１に配線するワイヤハーネス１０は略全長に渡ってキャタピラ型のプロテクタ３０で外装している。
該プロテクタ３０は、図５（Ａ）（Ｂ）に示すように、帯状の薄い平板３１に長さ方向に延在すると共に幅方向に間隔をあけて設けた複数本の折曲ライン３２を折り曲げて４角筒型に組み立てると共に、長さ方向に間隔をあけて幅方向に切り込み３３を入れて筒型の一方側を分離させると共に他方側を連続させ、前記一方側は屈曲するが他方側は屈曲しない状態で連結している。ワイヤハーネス１０をプロテクタ３０で外装すると、任意の角度で屈曲できる。よって、ヒンジアーム４の円弧部４ａの内周面に沿わせて配置すると、円弧部４ａの円弧に応じて屈曲でき、安定姿勢でヒンジアーム４に沿って配索できる。
【００２９】
詳細には、キャタピラ型のプロテクタ３０で外装したワイヤハーネス１０を電線余長収容ケース１１にワイヤハーネス引込口２０ｈを通して引き込んで挿通している。該挿通状態で、プロテクタ３０の上下面を電線余長収容ケース１１の上下面に接触させて安定した姿勢で移動させている。該電線余長収容ケース１１内で余長電線迂回部２１内をＵ字状に迂回させた後、円弧状電線出入部２０を通り、該円弧状電線出入部２０に設けている引出口２２に組みつけている前記スライダ２５にワイヤハーネス１０を挿通している。かつ、スライダ２５を通したワイヤハーネス１０を、前記のように、ヒンジアーム４の円弧部４ａの内周面に沿わせて配索している。其の際、プロテクタ３０の幅をヒンジアーム４の幅以下とし、プロテクタ３０をヒンジアーム４からはみ出さないようにしている。
【００３０】
前記のように、ラゲージドア１の開閉作動に応じて屈曲と伸長を繰り返すワイヤハーネス１０を電線余長収容ケース１１内に通し、大面積とした余長電線迂回部２１で迂回させているため、小さい曲率で屈曲するのを防止でき、かつ、該余長電線迂回部２１の形状に合わせた一定の曲率で屈曲させることができる。
しかも、前記電線余長収容ケース１１の長さ方向を、ラゲージルームの幅方向に配置せず、ヒンジアーム４の上下縦方向の円弧部４ａに沿った上下縦方向に配置している。よって、ヒンジアーム４とラゲージルーム２のワイヤハーネス引込用の開口１４との隙間が幅狭であっても、幅方向と直交方向の縦方向に配置する電線余長収容ケース１１内で縦方向に屈曲するワイヤハーネス１０の屈曲率を大きくでき、ワイヤハーネス１０を無理なく屈曲させることができる。その結果、ワイヤハーネス１０の電線３として、耐屈曲性に優れた電線に代えて、一般電線を用いることができ、電線コストを低下できる。
【００３１】
本発明は前記実施形態に限定されず、ワイヤハーネス１０をヒンジアーム４の円弧部４ａの外周面に沿って配置し、カバーを被せてもよい。
【符号の説明】
【００３２】
１  ラゲージドア
２  ラゲージルーム
４、５  ヒンジアーム
４ａ  円弧部
１０  ワイヤハーネス
１１  電線余長収容ケース
２０  円弧状電線出入部
２１  余長電線迂回部
２２  引出口
２５  スライダ
３０  キャタピラ型のプロテクタ
【図１】
2015096348.tif 000003
【図２】
2015096348.tif 000004
【図３】
2015096348.tif 000005
【図４】
2015096348.tif 000006
【図５】
2015096348.tif 000007
【図６】
2015096348.tif 000008
【図７】
2015096348.tif 000009